(57)【要約】【課題】複数のＩＥＥＥ１３９４バスを他のプロトコルのネットワークを介して接続する際に、ＩＥＥＥ１３９４のブリッジを用いないネットワーク接続を行うことにより、ＩＥＥＥ１３９４ブリッジに対応していないＩＥＥＥ１３９４機器同士をネットワーク接続することが可能な通信機器を提供する。【解決手段】第１のＩＥＥＥ１３９４バス上の通信機器において、第２のＩＥＥＥ１３９４バス上の機器をノードとしてエミュレートし、第２のＩＥＥＥ１３９４バス上の通信機器において、第１のＩＥＥＥ１３９４バス上の機器をノードとしてエミュレートすることを可能にする通信機器。【選択図】  図３
2004274608.tif 000002
【特許請求の範囲】
【請求項１】
ＩＥＥＥ１３９４バスにより１以上のＩＥＥＥ１３９４機器に接続される通信機器であって、
他の通信機器とネットワークを通じて通信を行う通信手段と、
前記１以上のＩＥＥＥ１３９４機器の情報を記憶する内部機器情報記憶手段と、前記他の通信機器に接続されているＩＥＥＥ１３９４機器の情報を記憶する外部機器情報記憶手段と、
前記１以上のＩＥＥＥ１３９４機器の情報を前記他の通信機器に送信し、前記他の通信機器に接続されているＩＥＥＥ１３９４機器の情報を前記他の通信機器から受信する機器情報送受信手段と、を備えている通信機器。
【請求項２】
前記通信機器は、前記ＩＥＥＥ１３９４バス上において前記他の通信機器に接続されているＩＥＥＥ１３９４機器をエミュレートすることを特徴とする請求項１に記載の通信機器。
【請求項３】
前記通信機器は、さらに、１以上の１３９４ＰＨＹチップを備えており、該１３９４ＰＨＹチップに対して、前記他の通信機器に接続されているＩＥＥＥ１３９４機器をエミュレートするエミュレートノードを割り当てることを特徴とする請求項２に記載の通信機器。
【請求項４】
前記１以上のＩＥＥＥ１３９４機器及び前記エミュレートノードのそれぞれに対して、前記ＩＥＥＥ１３９４バス上のノードＩＤを割り当てていることを特徴とする請求項３に記載の通信機器。
【請求項５】
前記内部機器情報記憶手段は、前記１以上のＩＥＥＥ１３９４機器それぞれについて、機器固有の識別情報と前記ＩＥＥＥ１３９４バス上で割り当てられているノードＩＤとを関連付けて記憶しており、
前記外部機器情報記憶手段は、前記他の通信機器に接続されているＩＥＥＥ１３９４機器それぞれについて、機器固有の識別情報と前記ＩＥＥＥ１３９４バス上で割り当てられているノードＩＤとを関連付けて記憶していることを特徴とする前記請求項４に記載の通信機器。
【請求項６】
前記機器固有の識別情報は１３９４機器のＧＵＩＤを含んでいることを特徴とする請求項５に記載の通信機器。
【請求項７】
前記通信機器は、さらに、前記内部機器情報記憶手段を参照して前記１以上のＩＥＥＥ１３９４機器に割り当てられているノードＩＤをＧＵＩＤに変換し、前記外部機器情報記憶手段を参照して前記他の通信機器に接続されているＩＥＥＥ１３９４機器のＧＵＩＤを前記ＩＥＥＥ１３９４バス上で割り当てられているノードＩＤに変換するプロトコル変換手段を備えており、
前記１以上のＩＥＥＥ１３９４機器が前記エミュレートノードに対して送信した通信データを、前記エミュレートノードがエミュレートしているＩＥＥＥ１３９４機器のＧＵＩＤを宛先とする通信データに変換し、前記他の通信機器に送信することが可能であり、
前記他の通信機器から前記１以上のＩＥＥＥ１３９４機器のＧＵＩＤを宛先とする通信データを受信すると、前記ＧＵＩＤをノードＩＤに変換し、該ノードＩＤを割り当てられたＩＥＥＥ１３９４機器に前記通信データを送信することが可能であることを特徴とする請求項６に記載の通信機器。
【請求項８】
前記通信機器は、さらに、前記ＩＥＥＥ１３９４バスにおいてバスリセットが発生すると、前記他の通信機器に対して機器構成変更通知を送信する手段を備えていることを特徴とする請求項１に記載の通信機器。
【請求項９】
前記通信機器は、さらに、前記１以上のＩＥＥＥ１３９４機器と前記他の通信機器に接続されているＩＥＥＥ１３９４機器とが接続されているかどうかを記憶する機器記憶装置を備えており、
接続されている場合にのみ、前記１以上のＩＥＥＥ１３９４機器及び前記他の通信機器に接続されているＩＥＥＥ１３９４機器間での通信データの送受信を許可することを特徴とする請求項７に記載の通信機器。
【請求項１０】
１以上のＩＥＥＥ１３９４機器と請求項１から１０のいずれか１項に記載の通信機器とを含む第１のＩＥＥＥ１３９４バスと、１以上のＩＥＥＥ１３９４機器と請求項１から１０のいずれか１項に記載の通信機器とを含む第２のＩＥＥＥ１３９４バスとを含んでおり、前記第１のＩＥＥＥ１３９４バスの通信機器と前記第２のＩＥＥＥ１３９４バスの通信機器とがネットワークを通じて通信可能であることを特徴とするシステム。
【発明の詳細な説明】
【０００１】
【発明の属する技術分野】
本発明は、ＩＥＥＥ１３９４（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  １３９４、以下、単に１３９４とする）規格による機器に接続される通信機器、及びこのような通信機器同士を接続して構成されるネットワークに関するものである。
【０００２】
特に、１以上の１３９４機器及び通信機器をバス型に接続した第１の１３９４バスと、１以上の１３９４機器及び通信機器をバス型に接続した第２の１３９４バスとがあり、上記通信機器同士がネットワークにより接続されているシステムにおいて、第１の１３９４バス上の１３９４機器及び第２の１３９４バス上の１３９４機器が互いに上記ネットワーク上のノードとして通信することを可能とする通信機器に関するものである。
【０００３】
【従来の技術】
従来、１３９４規格は、コンピュータと周辺機器とを接続し高速通信を実現する次世代ＳＣＳＩ規格として提案されているものであり、最大で６３台の周辺機器をデイジーチェーン接続又はツリー接続することができ、１００Ｍｂｐｓ、２００Ｍｂｐｓ及び４００Ｍｂｐｓの３種類の転送速度が規格化されている。また、コンピュータ動作中においても周辺機器を抜き差しすることができ（ホットプラグ）、接続ケーブルによる電源の供給もできるといった特徴を有している。
【０００４】
さらに、近年では、１３９４規格を利用してＡＶ機器間をネットワーク接続したり、家電を相互にネットワーク接続したりといった利用方法も提案されており、既に、ＢＳデジタルチューナ、ＤＶＨＳデッキ、デジタルビデオカメラ等では、１３９４接続インターフェイスとして外部出力端子（ＤＶ端子等）を備えた様々な１３９４対応商品が発売されている。
【０００５】
一方で、１３９４バスを広帯域無線上に実現しよという試みもされており、Ｗｉｒｅｌｅｓｓ１３９４、１３９４ｏｖｅｒ８０２．１１などの無線通信プロトコルを用いることにより、無線上で１３９４バスを構築することが可能となっている。また、現在、ブリッジなどを介することにより、有線の１３９４バスと無線の１３９４バスとをネットワークとして接続するための方式が論じられている。
【０００６】
例えば、特許文献１に開示されている通信ノード及び通信端末では、無線端末を有線の１３９４バス上の１つの通信機器のサブユニットとしてエミュレートするとともに、このサブユニットの制御に連動して無線端末を制御することにより、有線の１３９４バス上から無線端末と通信することを可能にしている。
【特許文献１】
特開２０００−１５６６８３号公報
【０００７】
【発明が解決しようとする課題】
しかしながら、１３９４バス間に１３９４バス以外のネットワークが存在する場合などには、必ず、１３９４のブリッジを設置することが必要となるが、このとき、ブリッジ対応していない１３９４機器からは、異なるプロトコルのネットワークを間に挟んだ１３９４バス上の１３９４機器を操作することができない。
【０００８】
この場合、特許文献１に示すような方法を用いれば、遠隔側の１３９４機器のうち１つを操作することは可能であると考えられる。しかしながら、既存の機器では、ノードに対してＢＳデジタルチューナ、ＤＶＨＳデッキなどの機器の内部構成を想定し、ノード又はサブユニットに対してＡＶ／Ｃ（Ａｕｄｉｏ  ／  Ｖｉｄｅｏ  Ｃｏｍｐａｔｉｂｉｌｉｔｙ）コマンド等を送信することにより制御を行っているため、通常、コマンド体系が異なると操作が行えなくなる。
ここで、ＡＶ／Ｃとは、１３９４上に搭載されるプロトコルのひとつで、主に１３９４対応のオーディオヴィジュアル機器を扱うための規格である。
【０００９】
また、上記の方法では、本来、ユニットとサブユニットの構成で存在していた機器の機能を１つのサブユニットにエミュレートするために、必然的にユニット又はサブユニットに対して従来のＡＶ／Ｃコマンドとは異なるコマンドを送信する必要があり、既存の機器と同じようには制御できないことになる。
【００１０】
特に、無線ネットワーク等を通じて接続された遠隔の通信機器を近隣の１３９４バス上の通信機器のサブユニットとしてエミュレートする場合には、前記無線ネットワーク等と接続可能な機器としか通信できないことになる。
【００１１】
本発明は、このような実情に鑑み、１以上の１３９４機器及び通信機器をバス型に接続した第１の１３９４バスと、１以上の１３９４機器及び通信機器をバス型に接続した第２の１３９４バスとからなり、上記通信機器同士が無線ネットワーク等により接続されているシステムにおいて、第１の１３９４バス上の１３９４機器及び第２の１３９４バス上の１３９４機器が互いに上記ネットワーク上のノードとして通信することを可能とする通信機器を提供しようとするものである。
【００１２】
【課題を解決するための手段】
上記解決課題に鑑みて鋭意研究の結果、本発明者は、第１の１３９４バス上の通信機器において、第２の１３９４バス上の機器をノードとしてエミュレートし、第２の１３９４バス上の通信機器において、第１の１３９４バス上の機器をノードとしてエミュレートすることにより、第１の１３９４バス上の１３９４機器及び第２の１３９４バス上の１３９４機器が互いに上記ネットワーク上のノードとして通信することを可能にできることに想到した。
【００１３】
すなわち、本発明は、ＩＥＥＥ１３９４バスにより１以上のＩＥＥＥ１３９４機器に接続される通信機器であって、他の通信機器とネットワークを通じて通信を行う通信手段と、前記１以上のＩＥＥＥ１３９４機器の情報を記憶する内部機器情報記憶手段と、前記他の通信機器に接続されているＩＥＥＥ１３９４機器の情報を記憶する外部機器情報記憶手段と、前記１以上のＩＥＥＥ１３９４機器の情報を前記他の通信機器に送信し、前記他の通信機器に接続されているＩＥＥＥ１３９４機器の情報を前記他の通信機器から受信する機器情報送受信手段と、を備えている通信機器を提供するものである。
【００１４】
また、本発明の通信機器は、前記ＩＥＥＥ１３９４バス上において前記他の通信機器に接続されているＩＥＥＥ１３９４機器をエミュレートすることを特徴とする。
これにより、前記１以上のＩＥＥＥ１３９４機器は前記ＩＥＥＥ１３９４バスを通じて本発明の通信機器にアクセスすることにより、ＩＥＥＥ１３９４以外のプロトコルを用いた前記ネットワークを通じて接続された遠方のＩＥＥＥ１３９４バス上のＩＥＥＥ１３９４機器と擬似的に通信することが可能となる。
【００１５】
本発明通信機器は、さらに、１以上の１３９４ＰＨＹチップを備えており、該１３９４ＰＨＹチップに対して、前記他の通信機器に接続されているＩＥＥＥ１３９４機器をエミュレートするエミュレートノードを割り当てることを特徴とする。
【００１６】
ここで１３９４ＰＨＹとは、ＩＥＥＥ１３９４バスにおいて、リピート、ケーブルの状態認識、バスの初期化、アービトレーションなどＩＥＥＥ１３９４の物理層の処理を行う基本機能を備えた既存の１３９４ＰＨＹチップであるものとする。
【００１７】
本発明の通信機器では、前記１以上のＩＥＥＥ１３９４機器及び前記エミュレートノードのそれぞれに対して、前記ＩＥＥＥ１３９４バス上のノードＩＤを割り当てていることを特徴とする。
【００１８】
これにより、前記エミュレートノードに対しても、前記ＩＥＥＥ１３９４バス上に実際に接続されている前記１以上のＩＥＥＥ１３９４機器と同様に、前記ＩＥＥＥ１３９４バス上のノードとしてアクセスすることが可能となる。
【００１９】
また、本発明の通信機器において、前記内部機器情報記憶手段は、前記１以上のＩＥＥＥ１３９４機器のそれぞれについて、機器固有の識別情報と前記ＩＥＥＥ１３９４バス上で割り当てられているノードＩＤとを関連付けて記憶しており、前記外部機器情報記憶手段は、前記他の通信機器に接続されているＩＥＥＥ１３９４機器のそれぞれについて、機器固有の識別情報と前記ＩＥＥＥ１３９４バス上で割り当てられているノードＩＤとを関連付けて記憶していることを特徴とする。
【００２０】
これにより、各ＩＥＥＥ１３９４機器にアクセスする際に、同一のＩＥＥＥ１３９４バス上でしか有効でないノードＩＤと、機器固有の識別情報であるＧＵＩＤとの両方を使い分ければ、ＩＥＥＥ１３９４以外のプロトコルによるネットワーク接続を挟んでも、アクセス元及びアクセス先のＩＥＥＥ１３９４機器の識別ができることになる。
【００２１】
また、本発明の通信機器において、前記機器固有の識別情報は１３９４機器のＧＵＩＤを含んでいることを特徴とする。１３９４機器のＧＵＩＤは、世界中で重複しないよう一元管理されたＩＤであるから、各１３９４機器固有の識別情報として用いることができる。
【００２２】
本発明の通信機器は、さらに、前記内部機器情報記憶手段を参照して前記１以上のＩＥＥＥ１３９４機器に割り当てられているノードＩＤをＧＵＩＤに変換し、前記外部機器情報記憶手段を参照して前記他の通信機器に接続されているＩＥＥＥ１３９４機器のＧＵＩＤを前記ＩＥＥＥ１３９４バス上で割り当てられているノードＩＤに変換するプロトコル変換手段を備えており、前記１以上のＩＥＥＥ１３９４機器が前記エミュレートノードに対して送信した通信データを、前記エミュレートノードがエミュレートしているＩＥＥＥ１３９４機器のＧＵＩＤを宛先とする通信データに変換し、前記他の通信機器に送信することが可能であり、前記他の通信機器から前記１以上のＩＥＥＥ１３９４機器のＧＵＩＤを宛先とする通信データを受信すると、前記ＧＵＩＤをノードＩＤに変換し、該ノードＩＤを割り当てられたＩＥＥＥ１３９４機器に前記通信データを送信することが可能であることを特徴とする。
【００２３】
前記ＩＥＥＥ１３９４バス上でのデータ送受信には前記ＩＥＥＥ１３９４バス上のノードＩＤを利用し、前記ＩＥＥＥ１３９４バスを超えて他のプロトコルによるネットワークを通じたデータ送受信には前記ノードＩＤと一意に関連付けられたＧＵＩＤを利用することにより、ＩＥＥＥ１３９４以外のプロトコルによるネットワーク接続を挟んで接続されているＩＥＥＥ１３９４機器間でのデータ送受信が可能となる。
【００２４】
本発明の通信機器は、さらに、前記ＩＥＥＥ１３９４バスにおいてバスリセットが発生すると、前記他の通信機器に対して機器構成変更通知を送信する手段を備えていることを特徴とする。
これにより、本発明の通信機器は、前記ＩＥＥＥ１３９４バス上の機器構成に関する最新の情報を、前記他の通信機器に通知することができる。
【００２５】
本発明の通信機器は、さらに、前記１以上のＩＥＥＥ１３９４機器と前記他の通信機器に接続されているＩＥＥＥ１３９４機器とが接続されているかどうかを記憶する機器記憶装置を備えており、接続されている場合にのみ、前記１以上のＩＥＥＥ１３９４機器及び前記他の通信機器に接続されているＩＥＥＥ１３９４機器間での通信データの送受信を許可することを特徴とする。
【００２６】
これにより、前記ＩＥＥＥ１３９４バス上の機器構成を実際に変化させることなく、前記１以上のＩＥＥＥ１３９４機器と前記他の通信機器に接続されているＩＥＥＥ１３９４機器と間の接続／接続を管理することが可能となる。
【００２７】
さらに、本発明は、１以上のＩＥＥＥ１３９４機器と請求項１から１０のいずれか１項に記載の通信機器とを含む第１のＩＥＥＥ１３９４バスと、１以上のＩＥＥＥ１３９４機器と請求項１から１０のいずれか１項に記載の通信機器とを含む第２のＩＥＥＥ１３９４バスとを含んでおり、前記第１のＩＥＥＥ１３９４バスの通信機器と前記第２のＩＥＥＥ１３９４バスの通信機器とがネットワークを通じて通信可能であることを特徴とするシステムを提供するものである。
【００２８】
【発明の実施の形態】
以下、添付図面を参照しながら、本発明の実施の形態を詳細に説明する。
第１実施形態
図１は、本発明の第１実施形態にかかる通信機器、及び他の１３９４機器を含んだネットワークの構成を概略的に示す図である。
図１に示すネットワークは、１３９４機器１（１００）及び通信機器Ａ（１０１）を１３９４規格によりバス型に接続した第１の１３９４バス（１０５）と、１３９４機器２（１０３）、１３９４機器３（１０４）及び通信機器Ｂ（１０２）を１３９４規格によりバス型に接続した第２の１３９４バス（１０６）とから構成されている。
【００２９】
また、通信機器Ａ（１０１）と通信機器Ｂ（１０２）とはネットワーク（１０７）により接続されており、全体として、第１の１３９４バス（１０５）及び第２の１３９４バス（１０６）を含んだ１３９４機器のネットワークを構成している。尚、本実施形態では、ネットワーク（１０７）には、Ｗｉｒｅｌｅｓｓ１３９４、１３９４ｏｖｅｒ８０２．１１などの無線通信プロトコルによる無線通信システムを用いるものとするが、本発明の通信機器はこれに限定されるものではない。
【００３０】
ところで、図１に示すような１３９４バスでは、接続機器の増減、バスリセット発生時などに、コンフィグレーションプロセスが起動され、バスの初期化、ツリーの識別、自己認識などを行い、各機器にはノードＩＤを割り当てるようになっている。これらの処理は、通常、各１３９４機器に内蔵されている１３９４ＰＨＹチップが行うようになっており、それぞれの１３９４ＰＨＹチップに対して１つのノードＩＤが割り当てられている。
【００３１】
また、各１３９４機器には、ノードＩＤとは別に、工場出荷時に世界中で一意に定められる６４ビットのＧＵＩＤ（Ｇｌｏｂａｌ  Ｕｎｉｑｕｅ  ＩＤ）が割り当てられており、このＧＵＩＤは、通常、ＣｏｎｆｉｇＲＯＭに格納されている。ＣｏｎｆｉｇＲＯＭは１つのノードに必ず１つは存在するようになっている。
【００３２】
本実施形態においては、１３９４機器１（１００）、１３９４機器２（１０３）及び１３９４機器３（１０４）は、それぞれ１つのＣｏｎｆｉｇＲＯＭを備えており、それぞれがＧＵＩＤを格納している。
【００３３】
また、一方で、１３９４機器１（１００）には第１の１３９４バス（１０５）におけるノードＩＤを割り当てており、１３９４機器２（１０３）及び１３９４機器３（１０４）には、第２の１３９４バス（１０６）におけるノードＩＤをそれぞれ割り当てている。
【００３４】
今、図１に示すように、１３９４機器１（１００）は、ＧＵＩＤが０ｘ１１１１１１１１であり、第１の１３９４バス（１０５）におけるノードＩＤとして０を割り当てているものとする（以下、ノードＩＤの０の機器をノード０と省略する、ノードＩＤが１、２の機器も同様にノード１、ノード２と省略する）。
【００３５】
また、１３９４機器２（１０３）については、ＧＵＩＤが０ｘ２２２２２２２２であり、第２の１３９４バス（１０６）においてノード１を割り当てており、１３９４機器３（１０４）については、ＧＵＩＤが０ｘ３３３３３３３３であり、第２の１３９４バス（１０６）においてノード２を割り当てているものとする。
【００３６】
さらに、通信機器Ａ（１０１）には、第２の１３９４バス（１０６）上の各１３９４機器をエミュレートするためのノードとして、ノード１及びノード２の２つを割り当てているものとする。同様に、通信機器Ｂ（１０２）についても、第１の１３９４バス（１０５）上の１３９４機器をエミュレートするためのノードとして、ノード０を割り当てているものとする。
【００３７】
尚、１３９４バスではノードＩＤは可変であり、バスリセット、機器の増減などが起こるたびに、各機器に対してノードＩＤが再割り当てされる可能性があるが、ここでは上記の各１３９４機器が上記のノードＩＤに割り当てられた時点での状態を示している。ノードＩＤの再割り当てにより、ノードＩＤが上記と異なるものになったときには、それぞれのノードＩＤを置き換えて考えればよい。
【００３８】
図２は、通信機器Ａ（１０１）及び通信機器Ｂ（１０２）それぞれの内部構成を概略的に示す図である。図２において、通信機器Ａ（１０１）は２つのエミュレートノードを含んでおり、通信機器Ｂ（１０２）は１つのエミュレートノードを含んでいる。本実施形態では、それぞれのエミュレートノードについて管理テーブルを割り当てており、バスリセットや機器の増減による初期化が起こったときには、これらのエミュレートノードが、それぞれリピータとして動作することになる。
【００３９】
図２において、通信機器Ａ（１０１）のエミュレートノードのうち、ノード１のエミュレートノードは１３９４機器２（１０３）をエミュレートするものであり、ノード２のエミュレートノードは１３９４機器３（１０４）エミュレートするものとする。同様に、通信機器Ｂ（１０２）のノード０のエミュレートノードは１３９４機器１（１００）をエミュレートするものとする。
【００４０】
図３は、図１に示す通信機器Ａ（１０１）の内部構成を詳細に示す機能ブロック図である。以下、図３を参照しながら、通信機器Ａ（１０１）の各ブロックの機能について説明する。
【００４１】
無線Ｉ／Ｆ（３０１）及び無線Ｉ／Ｆ（３０１）に接続されている無線Ｉ／Ｆ処理部（３０２）は、無線伝送におけるネゴシエーション等を行う物理層レベルの基本機能を備えており、無線Ｉ／Ｆ（３０１）を通じて無線伝送のプロトコルに従ったパケットを送受信する機能を備えている。
【００４２】
機器情報送受信部（３０３）は、通信機器Ａ（１０１）が属する１３９４バス上の１３９４機器の構成情報をネットワーク上の他の通信機器に送信するとともに、ネットワーク上の他の通信機器が属する１３９４バス上の１３９４機器の構成情報を受信する機能を備えている。
【００４３】
機器情報送受信部（３０３）は、ネットワーク上の他の通信機器から１３９４機器の構成情報の要求を受信すると、その要求に応じたデータを内部機器情報記憶部（３０９）から取得し、無線Ｉ／Ｆ（３０１）及び無線Ｉ／Ｆ処理部（３０２）を通じて他の通信機器に送信することができる。また、ネットワーク上の他の通信機器に対して、当該他の通信機器の属する１３９４バス上の１３９４機器の構成情報を要求し、この要求に対する応答として受信したデータを外部機器情報記憶部（３０８）に記憶させることができる。例えば、ネットワーク上の他の通信機器に接続されている１３９４バス上の機器構成に変化が生じた際には、変化の通知を受信して外部機器情報記憶部（３０８）のデータをアップデートすることができる。
【００４４】
プロトコル変換部（３０４）は、無線Ｉ／Ｆ（３０１）及び無線Ｉ／Ｆ処理部（３０２）を通じて受信したＡｓｙｎｃパケットと同等のパケットを包括する無線パケットを、１３９４バス（１０５）上で伝送可能なＡｓｙｎｃパケットに変換した後、１３９４Ｉ／Ｆ処理部（３０５）に送信する機能を備えている。このとき、受信した無線パケットでは送信元及び送信先がＧＵＩＤにより示されているので、プロトコル変換部（３０４）は、外部機器情報記憶部（３０８）及び内部機器情報記憶部（３０９）に含まれる管理テーブルを参照して、上記のＧＵＩＤによる送信元及び送信先をノードＩＤによる送信元及び送信先に変換することができる。
【００４５】
プロトコル変換部（３０４）は、また、１３９４バス（１０５）から１３９４Ｉ／Ｆ処理部（３０５）を通じて、ネットワーク上の他の通信機器に接続されている１３９４バスに属する１３９４機器に送信されるパケットを受信すると、このパケットはノードＩＤにより示された送信元及び送信先を含んでいるので、上記同様に、外部機器情報記憶部（３０８）及び内部機器情報記憶部（３０９）に含まれる管理テーブルを参照して、上記のノードＩＤによる送信元及び送信先をＧＵＩＤによる送信元及び送信先に変換したパケットを１３９４Ｉ／Ｆ処理部（３０２）に送信する。
【００４６】
１３９４Ｉ／Ｆ処理部（３０５）は、プロトコル変換部（３０４）からＡｓｙｎｃパケットを受信すると、Ａｓｙｎｃパケットの送信元に応じて１３９４ＰＨＹチップ（３０６）及び１３９４ＰＨＹチップ（３０７）のいずれかに送信する機能を備えている。また、１３９４Ｉ／Ｆ処理部（３０５）は、１３９４バス（１０５）から１３９４ＰＨＹチップ（３０６）又は１３９４ＰＨＹチップ（３０７）を通じてＡｓｙｎｃパケットを受信すると、外部機器情報部（３０８）の管理テーブルを参照し、ここで得られた情報に基づいてＡｓｙｎｃパケットを処理可能なときには、当該処理を行った後Ａｓｙｎｃパケットの送信元に応答パケットを送信する。上記において処理できないＡｓｙｎｃパケットは、プロトコル変換部（３０４）に送信する。
【００４７】
また、１３９４Ｉ／Ｆ処理部（３０５）は、外部機器情報部（３０８）の管理テーブルを参照するときに、管理テーブル内のエミュレートフラグ（後述する）が無効である場合には、１３９４ＰＨＹチップ（３０６）及び１３９４ＰＨＹチップ（３０７）をリピータとして動作するように制御する機能を備えている。
【００４８】
１３９４ＰＨＹチップ（３０６）及び１３９４ＰＨＹチップ（３０７）は、従来の１３９４ＰＨＹチップの機能を全て備えており、リピート、ケーブルの状態認識、バスの初期化、アービトレーション等を行うことができるものとする。また、１つの１３９４ＰＨＹチップに対して１つのノードを確保するように機能する。
【００４９】
尚、本実施形態の通信機器内においては、ネットワークを通じて接続される他の通信機器が属する１３９４バスに接続され得る１３９４機器の最大個数より多い数の１３９４ＰＨＹチップを備えるようにするものとする。すなわち、図３に示すように、通信機器Ａ（１０１）では、無線ネットワークを通じて接続される通信機器Ｂ（１０２）が属する第２の１３９４バス（１０６）に接続され得る１３９４機器の最大個数が２個であるとして、２個の１３９４ＰＨＹチップ（３０６）及び１３９４ＰＨＹチップ（３０７）を備えることとしている。
【００５０】
外部機器情報記憶部（３０８）は、無線ネットワークを通じて接続された第２の１３９４バス（１０６）上の各１３９４機器の構成に関する情報を記憶する機能を備えている。図３において、外部機器情報記憶部（３０８）は２つの管理テーブルを含んでおり、それぞれの管理テーブルにおいて、第２の１３９４バス（１０６）上の各１３９４機器についてのＣｏｎｆｉｇＲＯＭ等の機器情報を記憶しているものとする。
【００５１】
尚、図３では、外部機器情報記憶部（３０８）は２つの管理テーブルを含んでいるが、本実施形態において、外部機器情報記憶部（３０８）は、無線ネットワークを通じて接続される他の通信機器が属する１３９４バス上において接続可能な１３９４機器の最大個数より多い数の管理テーブルを備えるようにするものとする。
【００５２】
内部機器情報記憶部（３０９）は、通信機器Ａ（１０１）が接続されている第１の１３９４バス（１０５）上の各１３９４機器の構成に関する情報を記憶する機能を備えている。図３において、内部機器情報記憶部（３０９）は１つの管理テーブルを含んでおり、管理テーブルには、第１の１３９４バス（１０５）上の１３９４機器についてのＣｏｎｆｉｇＲＯＭ等の機器情報を記憶しているものとする。
【００５３】
尚、図３では、内部情報記憶部（３０９）は１つの管理テーブルのみを含んでいるが、本実施形態において、内部情報記憶部（３０９）は、通信機器Ａ（１０１）が直接接続されている第１の１３９４バス（１０５）上に接続され得る１３９４機器の最大個数より多い数の管理テーブルを備えているようにするものとする。
【００５４】
図４は、図３に示した通信機器Ａ（１０１）の外部機器情報記憶部（３０８）及び内部機器情報記憶部（３０９）に含まれる管理テーブルに格納される情報の構成例を示す図である。
図４において、管理テーブルは、エミュレートフラグと、ノードＩＤと、ＧＵＩＤと、複数のレジスタアドレス及びレジスタ値の格納領域とを含んでいる。
エミュレートフラグは、各管理テーブルにおいて現在エミュレートしている１３９４機器の有無を示すものである。
【００５５】
ノードＩＤは、現在エミュレートしている１３９４機器に割り当てているノードＩＤを示すものである。ここで、外部機器情報記憶部（３０８）の管理テーブルにおけるノードＩＤには、通信機器Ａ（１０１）の１３９４ＰＨＹチップ（３０６）及び１３９４ＰＨＹチップ（３０７）に割り当てられているノードＩＤを用いるものとし、内部機器情報記憶部（３０９）の管理テーブルにおけるノードＩＤには、通信機器Ａ（１０１）と１３９４バスで接続されている１３９４機器に割り当てられているノードＩＤを用いるものとする。
ＧＵＩＤは、現在エミュレートしている１３９４機器のＧＵＩＤを示すものである。
【００５６】
本実施形態においては、レジスタアドレス及びレジスタ値の格納領域には、ＣｏｎｆｉｇＲＯＭのレジスタアドレス（０ｘＦＦＦＦＦ０００４００〜）及びレジスタ値を格納しているものとする。
【００５７】
本実施形態において、外部機器情報記憶部（３０８）及び内部機器情報記憶部（３０９）に含まれる管理テーブルに格納する内容は上記に限られるわけではなく、他にも１３９４レジスタ空間のデータ等を格納することが可能である。
【００５８】
図５は、図１に示す通信機器Ｂ（１０２）の内部構成を詳細に示す機能ブロック図である。図５において、通信機器Ｂ（１０２）は、無線Ｉ／Ｆ（５０１）、無線Ｉ／Ｆ処理部（５０２）、機器情報送受信部（５０３）、プロトコル変換部（５０４）、１３９４Ｉ／Ｆ処理部（５０５）、１３９４ＰＨＹチップ（５０６）、外部機器情報記憶部（５０８）及び内部機器情報記憶部（５０９）から構成されているが、これら各ブロックの基本的構成及び動作は図３に示した通信機器Ａ（１０１）と同様であるものとする。
【００５９】
図５において、通信機器Ｂ（１０２）と無線ネットワークを通じて接続される１３９４機器は１つであると想定しており、外部機器情報記憶部（５０８）には１つのみの管理テーブルを含むよう構成している。また、通信機器Ｂ（１０２）は上記１つの１３９４機器をエミュレートするために、１つの１３９４ＰＨＹチップ（５０６）を備えている。
【００６０】
一方で、通信機器Ｂ（１０２）と接続されている１３９４バス（１０６）には、現在２つの１３９４機器が接続されているので、内部機器情報記憶部（５０９）には、これらに対応して２つの管理テーブルを含むよう構成している。
【００６１】
以上、図１〜図５を参照しながら、本実施形態の通信機器の及びこれを含む１３９４機器ネットワークの構成について説明した。続いて、これらの各種の動作のフローについて説明する。
図６及び図７は、図１に示す１３９４機器ネットワークにおいてバスリセットが発生したときの各機器の動作を時系列的に示すシーケンス図である。まず、図６を参照しながら、図１における第１の１３９４バス（１０５）において１３９４機器の増減等が起こったことによりバスリセットが発生した場合の各機器の動作を例にとって説明する。
【００６２】
図６において、まず、第１の１３９４バス（１０５）でバスリセットが発生すると、第１の１３９４バス（１０５）上の各１３９４機器においてバスの初期化動作が行われる。この初期化動作は各１３９４機器に内蔵されている１３９４ＰＨＹチップが行うようになっており、各１３９４機器に対してノードＩＤの再割り当てなどを行うものとする。
【００６３】
第１の１３９４バス（１０５）上の各１３９４機器において新たなノードＩＤが決定されると、通信機器Ａ（１０１）は、第１の１３９４バス（１０５）上の自機器以外の機器について、ノード０の機器から順にＣｏｎｆｉｇＲＯＭを読み取る。図６に示すように、通信機器Ａ（１０１）自身に含まれているノード１及びノード２を除き、ノード０の１３９４機器１（１００）のＣｏｎｆｉｇＲＯＭを読み取る。
【００６４】
通信機器Ａ（１０１）は、読み取ったＣｏｎｆｉｇＲＯＭに含まれているＧＵＩＤを取得し、図３に示す内部機器情報記憶部（３０９）の管理テーブルにおいて、１３９４機器１（１００）の新たなノードＩＤ、ＧＵＩＤ及びＣｏｎｆｉｇＲＯＭの値を記憶して、エミュレートフラグを有効にする。
【００６５】
バスリセットが発生した第１の１３９４バス（１０５）上の全ての機器について、内部機器情報記憶部（３０９）内の管理テーブルの作成が終わると、通信機器Ａ（１０１）は、機器情報送受信部（３０３）により、第１の１３９４バス（１０５）の機器構成が変化していることを示す機器構成変化通知を通信機器Ｂ（１０２）に対して送信する。尚、第１の１３９４バス（１０５）においてバスリセットが発生したものの、内部機器情報記憶部（３０９）内に記憶されている情報に変化がなかった場合には、機器構成変化通知を送信しなくともよい。
【００６６】
通信機器Ａ（１０１）から機器構成変化通知を受信した通信機器Ｂ（１０２）は、第１の１３９４バス（１０５）上の機器構成に関する情報を要求する機器構成情報要求を通信機器Ａ（１０１）に対して送信する。
【００６７】
通信機器Ｂ（１０２）から機器構成情報要求を受信した通信機器Ａ（１０１）は、機器情報送受信部（３０３）により、内部機器記憶部（３０９）の管理テーブルに含まれている機器構成情報を通信機器Ｂ（１０２）に対して送信する。
【００６８】
上記機器構成情報を受信した通信機器Ｂ（１０２）は、図５に示す外部機器情報記憶部（５０８）の管理テーブルに上記機器構成情報を書き込むとともに、エミュレートフラグを有効にする。ここで上記機器構成情報には、１３９４機器１（１００）のＧＵＩＤ及びＣｏｎｆｉｇＲＯＭの値が含まれているものとする。
【００６９】
続いて、図７を参照しながら、図１における第２の１３９４バス（１０６）において１３９４機器の増減等が起こったことによりバスリセットが発生した場合の各機器の動作を例にとって説明する。
図７において、まず、第２の１３９４バス（１０６）でバスリセットが発生すると、第２１の１３９４バス（１０６）上の各１３９４機器においてバスの初期化動作が行われる。この初期化動作は各１３９４機器に内蔵されている１３９４ＰＨＹチップが行うようになっており、各１３９４機器に対してノードＩＤの再割り当てなどを行うものとする。
【００７０】
第２の１３９４バス（１０６）上の各１３９４機器において新たなノードＩＤが決定されると、通信機器Ｂ（１０２）は、第２の１３９４バス（１０６）上の自機器以外の機器について、ノード０の機器から順にＣｏｎｆｉｇＲＯＭを読み取る。図７に示すように、通信機器Ｂ（１０２）自身に含まれているノード０を除き、ノード１の１３９４機器２（１０３）及びノード２の１３９４機器３（１０４）のＣｏｎｆｉｇＲＯＭを読み取る。
【００７１】
通信機器Ｂ（１０２）は、１３９４機器２（１０３）及び１３９４機器３（１０４）のそれぞれについて、読み取ったＣｏｎｆｉｇＲＯＭに含まれているＧＵＩＤを取得し、図５に示す内部機器情報記憶部（５０９）の管理テーブルにおいて、各１３９４機器の新たなノードＩＤ、ＧＵＩＤ及びＣｏｎｆｉｇＲＯＭの値を記憶して、エミュレートフラグを有効にする。
【００７２】
バスリセットが発生した第２の１３９４バス（１０６）上の全ての機器について、内部機器情報記憶部（５０９）内の管理テーブルの作成が終わると、通信機器Ｂ（１０２）は、機器情報送受信部（５０３）により、第２の１３９４バス（１０６）の機器構成が変化していることを示す機器構成変化通知を通信機器Ａ（１０１）に対して送信する。尚、第２の１３９４バス（１０６）においてバスリセットが発生したものの、内部機器情報記憶部（５０９）内に記憶されている情報に変化がなかった場合には、機器構成変化通知を送信しなくともよい。
【００７３】
通信機器Ｂ（１０２）から機器構成変化通知を受信した通信機器Ａ（１０１）は、第２の１３９４バス（１０６）上の機器構成に関する情報を要求する機器構成情報要求を通信機器Ｂ（１０２）に対して送信する。
【００７４】
通信機器Ａ（１０１）から機器構成情報要求を受信した通信機器Ｂ（１０２）は、機器情報送受信部（５０３）により、内部機器記憶部（５０９）の管理テーブルに含まれている機器構成情報を通信機器Ａ（１０１）に対して送信する。
【００７５】
上記機器構成情報を受信した通信機器Ａ（１０１）は、図３に示す外部機器情報記憶部（３０８）の管理テーブルに上記機器構成情報を書き込むとともに、エミュレートフラグを有効にする。ここで上記機器構成情報には、１３９４機器２（１０３）及び１３９４機器３（１０４）それぞれについてのＧＵＩＤ及びＣｏｎｆｉｇＲＯＭの値が含まれているものとする。
【００７６】
尚、バスリセットが発生した場合における通信機器間での機器構成情報の送受信については、上記以外にも様々な態様が考えられる。図８及び図９は、通信機器間においてバスリセットにともなう機器構成情報の送受信を行う他の態様を示す図である。
【００７７】
図８では、第１の１３９４バス（１０５）でバスリセットが発生すると、第１の１３９４バス（１０５）上の各１３９４機器においてバスの初期化動作が行われ、各１３９４機器に対してノードＩＤの再割り当てが行われる。
【００７８】
続いて、通信機器Ａ（１０１）は、第１の１３９４バス（１０５）上の１３９４機器１（１００）のＣｏｎｆｉｇＲＯＭを読み取り、これに基づいて図３に示す内部機器情報記憶部（３０９）の管理テーブルに新たな情報を格納する。
【００７９】
さらに、通信機器Ａ（１０１）は、新たな第１の１３９４バス（１０５）上の機器構成情報を登録するよう要求する機器構成情報登録要求を通信機器Ｂ（１０２）に対して送信する。この機器構成情報登録要求には、上記で更新された第１の１３９４バス（１０５）上の機器構成情報として、１３９４機器１（１００）のＧＵＩＤ及びＣｏｎｆｉｇＲＯＭの値が含まれているものとする。
【００８０】
上記機器構成情報登録要求を受信した通信機器Ｂ（１０２）は、図５に示す外部機器情報記憶部（５０８）の管理テーブルに上記機器構成情報登録要求に含まれる機器構成情報を書き込むとともに、エミュレートフラグを有効にする。
図９では、第２の１３９４バス（１０６）でバスリセットが発生した場合の例を示しているが、図８に示す例と同様であるので説明を省略する。
【００８１】
以上、説明したような構成及び動作を特徴とする本実施形態の通信機器によれば、１３９４バスに接続された１３９４機器に関する情報を通信機器に登録しておくことにより、ネットワーク内で各通信機器と１３９４バスで接続された１３９４機器の全てを認識することが可能となる。
【００８２】
すなわち、図１〜図９において、第１の１３９４バス（１０５）上の１３９４機器を通信機器Ａ（１０１）のノードにエミュレートするとともに、第２の１３９４バス（１０６）上の１３９４機器を通信機器Ｂ（１０２）のノードにエミュレートすることにより、第２の１３９４バス（１０６）上の１３９４機器が第１の１３９４バス（１０５）上に存在しているかのように、また、第１の１３９４バス（１０５）上の１３９４機器が第２の１３９４バス（１０６）上にあるかのように動作するようなシステムを構築することが可能となる。
【００８３】
次に、本実施形態の通信機器において、１３９４機器をノードにエミュレートするときのノードにおける動作を説明する。
図１０は、本実施形態の通信機器を含むネットワークにおいて、１３９４機器が送信するＡｓｙｎｃパケットの構成例を示す図である。
図１０に示すＡｓｙｎｃパケットの各領域の意味を以下に説明する。ｄｅｓｔｉｎａｔｉｏｎ＿ＩＤは、パケット送信先のノードＩＤを示す。ｔｌは、ｒｅｑｕｅｓｔパケット及びｒｅｓｐｏｎｓｅパケットの一対のトランザクションの一致を認識するためのラベルを示す。ｒｔは、ｂｕｓｙのＡｃｋｏｎｗｌｅｄｇｅを受信した時のリトライ方法に関する情報を示す。ｔｃｏｄｅは、トランザクションパケット種別コードを示す。ｐｒｉは、優先度を示す。ｓｏｕｒｃｅ＿ＩＤは、パケットの送信元のノードＩＤを示す。
【００８４】
ｄｅｓｔｉｎａｔｉｏｎ＿ｏｆｆｓｅｔは、パケット送信先ノードのレジスタ空間上の目的アドレス４８ビットを示す。ｄａｔａ＿ｄｅｎｇｔｈは、データペイロードのバイト長を示す。ｅｘｔｅｎｄｅｄ＿ｔｃｏｄｅは、トランザクションパケットの拡張種別コードを示す。ｈｅａｄｅｒ＿ＣＲＣは、ヘッダー情報に対するＣＲＣを示す。ｄａｔａは、データペイロードを示す。ｄａｔａ＿ＣＲＣは、データペイロードのＣＲＣを示す。
【００８５】
ここで、図１に示す本実施形態の通信機器を含むネットワークにおいて、第１の１３９４バス（１０５）上の１３９４機器１（１００）から第２の１３９４バス（１０６）上の１３９４機器２（１０３）に対して、図１０に示すＡｓｙｎｃパケットを送信するときの各機器の動作を例にとって説明する。図１１は、このときの各機器の動作を示すシーケンス図である。
【００８６】
図１１において、１３９４機器２（１０３）は、第１の１３９４バス（１０５）上では通信機器Ａ（１０１）のノード１にエミュレートされているので、１３９４機器１（１００）はノード１にＡｓｙｎｃパケットを送信することになる。このとき、上記Ａｓｙｎｃパケットの送信元はノード０とし、送信先はノード１とし、その他の領域には適当なデータを設定しているものとする。
【００８７】
１３９４機器１（１００）が送信した上記Ａｓｙｎｃパケットを受信した通信機器Ａ（１０１）は、図３に示す内部機器情報記憶部（３０９）のノード０に対応する管理テーブルを参照して、ノード０に対応するＧＵＩＤを取得し、プロトコル変換部（３０４）において、上記Ａｓｙｎｃパケットの送信元のノードＩＤをＧＵＩＤに変換する。
【００８８】
通信機器Ａ（１０１）は、また、外部機器情報記憶部（３０８）のノード１に対応する管理テーブルを参照して、ノード１に対応するＧＵＩＤを取得し、上記Ａｓｙｎｃパケットの送信先のノードＩＤをＧＵＩＤに変換する。
【００８９】
より具体的には、本実施形態では、送信元のノード０を１３９４機器１のＧＵＩＤである０ｘ１１１１１１１１に変換し、送信先のノード１を１３９４機器２のＧＵＩＤである０ｘ２２２２２２２２に変換する。
【００９０】
図１２は、上記に従って図１０に示すＡｓｙｎｃパケットの送信元及び送信先をノードＩＤからＧＵＩＤに変換したＡｓｙｎｃパケットの構成例を示す図である。
図１２に示すＡｓｙｎｃパケットは、図１０に示す１３９４機器１（１００）が送信したＡｓｙｎｃパケットの先頭にＤｅｓｔｉｎａｔｉｏｎ＿ＧＵＩＤ及びＳｏｕｒｃｅ＿ＧＵＩＤを付加したものである。
【００９１】
ここで、Ｄｅｓｔｉｎａｔｉｏｎ＿ＧＵＩＤは、送信先の１３９４機器のＧＵＩＤを示しており、Ｓｏｕｒｃｅ＿ＧＵＩＤは、送信元の１３９４機器のＧＵＩＤを示すものである。すなわち、上記に従って、Ｄｅｓｔｉｎａｔｉｏｎ＿ＧＵＩＤには１３９４機器２のＧＵＩＤの０ｘ２２２２２２２２が設定されており、Ｓｏｕｒｃｅ＿ＧＵＩＤには１３９４機器１のＧＵＩＤの０ｘ１１１１１１１１が設定されていることになる。
【００９２】
再び図１１において、通信機器Ａ（１０１）は、無線通信プロトコルに従って、上記のように変換したＡｓｙｎｃパケットを包括した無線パケットを作成し、これを無線ネットワーク（１０７）を通じて通信機器Ｂ（１０２）に送信する。
【００９３】
上記無線パケットを受信した通信機器Ｂ（１０２）は、上記無線パケットからＡｓｙｎｃパケットを取得すると、図１２に示すＤｅｓｔｉｎａｔｉｏｎ＿ＧＵＩＤ及びＳｏｕｒｃｅ＿ＧＵＩＤを読み取り、これらに基づいてｄｅｓｔｉｎａｔｉｏｎ＿ＩＤ及びｓｏｕｒｃｅ＿ＩＤを再設定する。
【００９４】
具体的には、通信機器Ｂ（１０２）は、図５に示す外部機器情報（５０８）の管理テーブルを参照し、送信元のＳｏｕｒｃｅ＿ＧＵＩＤに対応するノードＩＤとして、第２の１３９４バス上にエミュレートされた１３９４機器１（１００）に割り当てられているノードＩＤをｓｏｕｒｃｅ＿ＩＤに設定する。
【００９５】
通信機器Ｂ（１０２）は、また、内部機器情報記憶部（５０９）の管理テーブルを参照し、送信先のｄｅｓｔｉｎａｔｉｏｎ＿ＧＵＩＤに対応するノードＩＤとして、第２の１３９４バス（１０６）上で１３９４機器２（１０３）に割り当てられているノードＩＤを、ｄｅｓｔｉｎａｔｉｏｎ＿ＩＤに設定する。
【００９６】
すなわち、本実施形態においては、Ａｓｙｎｃパケットのｄｅｓｔｉｎａｔｉｏｎ＿ＩＤにノード１が再設定され、ｓｏｕｒｃｅ＿ＩＤにノード０が再設定されることになる。
通信機器Ｂ（１０２）は、上記のように変化したＡｓｙｎｃパケットを、第２の１３９４バス上でノード１が割り当てられている１３９４機器２（１０３）に送信する。
【００９７】
上記したＡｓｙｎｃパケット送受信では、送信元である１３９４機器１（１００）は、通信機器Ａ（１０１）において１３９４機器２（１０３）をエミュレートしたノード１にＡｓｙｎｃパケットを送信しており、また、送信先である１３９４機器２（１０３）は、通信機器Ｂ（１０２）において１３９４機器１（１００）をエミュレートしたノード０からＡｓｙｎｃパケットを受信している。このため、１３９４機器１（１００）及び１３９４機器２（１０３）は、第１の１３９４バス（１０５）と第２の１３９４バス（１０６）との間に無線通信が含まれていることを意識せずに、Ａｓｙｎｃパケットを送受信することができる。
【００９８】
次に、図１に示す本実施形態の通信機器を含むネットワークにおいて、第１の１３９４バス（１０５）上の１３９４機器１（１００）が第２の１３９４バス（１０６）上の１３９４機器２（１０３）のＣｏｎｆｉｇＲＯＭを読み取るときの各機器の動作について説明する。図１３は、このときの各機器の動作を示すシーケンス図である。
【００９９】
本実施形態において、第２の１３９４バス（１０６）上の１３９４機器２（１０３）は、第１の１３９４バス（１０５）上では通信機器Ａ（１０１）のノード１にエミュレートされているので、１３９４機器１（１００）は、ノード１のＣｏｎｆｉｇＲＯＭを読み取るＡｓｙｎｃパケットを通信機器Ａ（１０１）に対して送信することになる。
【０１００】
このとき場合、１３９４機器１（１００）が送信するＡｓｙｎｃパケットは、図１０に示すＡｓｙｎｃパケットと同様のパケットであって、ｄｅｓｔｉｎａｔｉｏｎ＿ＩＤをノード１とし、ｓｏｕｒｃｅ＿ＩＤをノード０とし、ｔｃｏｄｅに読み取りのリクエストであるＲＥＡＤ＿ＲＥＱＵＥＳＴを設定し、Ｄｅｓｔｉｎａｔｉｏｎ＿ｏｆｆｓｅｔにＣｏｎｆｉｇＲＯＭが格納されているレジスタアドレス（通常、０ｘＦＦＦＦＦ０００４００〜）を設定し、必要に応じてｄａｔａ＿ｌｅｎｇｔｈに読み取りたいＣｏｎｆｉｇＲＯＭのバイト長を設定したものである。
【０１０１】
上記のような構成のＡｓｙｎｃパケットを受信した通信機器Ａ（１０１）は、図３に示す外部機器情報記憶部（３０８）にアクセスし、ｄｅｓｔｉｎａｔｉｏｎ＿ＩＤで送信先として指定されたノード１に対応する管理テーブルを参照する。管理テーブルにおいて上記Ａｓｙｎｃパケット中のｄｅｓｔｉｎａｔｉｏｎ＿ｏｆｆｓｅｔで設定されているレジスタアドレスが登録されている場合には、当該レジスタアドレスの値をＲＥＡＤ＿ＲＥＳＰＯＮＳＥのデータとして含んだＡｓｙｎｃパケットを作成し、これをＣｏｎｆｉｇＲＯＭ読み取りパケットの送信元であるノード０に送信する。こうして、１３９４機器１（１００）は、通信機器Ａ（１０１）のノード１にエミュレートされている１３９４機器２（１０３）のＣｏｎｆｉｇＲＯＭを読み取ることができる。
【０１０２】
上記のように、本実施形態によれば、通信機器Ａ（１０１）の外部機器情報記憶部（３０８）に含まれる管理テーブルにおいて１３９４機器２（１０３）のＣｏｎｆｉｇＲＯＭを記憶しておくことにより、第２の１３９４バス（１０６）の１３９４機器２（１０３）にＡｓｙｎｃパケットを実際に送信することなく、ＣｏｎｆｉｇＲＯＭ読み取り要求に応答することができ、通信時間が短縮される。
【０１０３】
尚、通信機器Ａ（１０１）の外部機器情報記憶部（３０８）に含まれる管理テーブルにおいて１３９４機器２（１０３）のＣｏｎｆｉｇＲＯＭを記憶していない場合には、上記で図１０〜図１２を参照しながら説明した例と同様にして、第２の１３９４バス（１０６）の１３９４機器２（１０３）に対して、ＣｏｎｆｉｇＲＯＭの読み取りを要求するＡｓｙｎｃパケットを送信することになる。
【０１０４】
上記の本実施形態においては、通信機器内において複数の１３９４ＰＨＹチップを持つことにより、１３９４ＰＨＹチップの個数だけ１３９４バス上のノードを確保するという既存の１３９４ＰＨＹチップの性能を利用した手法を採用しているので、１３９４ＰＨＹチップの個数がそのまま確保するノードの数ということになるが、１３９４バス上で複数のノードを確保する手段はこれに限定されるものではない。
【０１０５】
例えば、１つの１３９４ＰＨＹチップにおいて仮想的に複数のセルフＩＤパケットを送受信することにより複数のノードを確保することも可能である。
また、本実施形態においては、ネットワークを構成する機器の台数については、通信機器Ａ（１０１）と１３９４バスで接続される機器が１台まで、通信機器Ｂ（１０２）と１３９４バスで接続される機器が２台までと想定しているため、通信機器Ａ（１０１）及び通信機器Ｂ（１０２）に備える１３９４ＰＨＹチップ及び外部機器情報の管理テーブルの数を、それぞれ２個及び１個としているが、この例に限定されるものではない。１３９４ＰＨＹチップ、確保するノードの数及び外部機器情報の管理テーブルの数については、各通信機器においてエミュレートする１３９４機器の台数と同数かそれより多い数であればよい。
【０１０６】
通常は、各通信機器においては、ネットワーク接続される遠隔の１３９４バス上の１３９４機器の台数よりも多い数のノードを確保するのが望ましいが、当該遠隔の１３９４バス上の１３９４機器のうち、通信機器においてエミュレートする（ネットワークを超えてＡｓｙｎｃパケットを送受信できる）１３９４機器の台数を限定することにより、通信機器において確保するノードの数を、遠隔の１３９４バス上の１３９４機器の数よりも少なくすることも可能である。
【０１０７】
また、本実施形態の通信機器において、管理テーブルに含まれる情報は、図４に示した例に限定されるものではなく、ＣｏｎｆｉｇＲＯＭ以外のデータを格納してもよい。例えば、ＣｏｎｆｉｇＲＯＭ以外のレジスタも格納しておき、当該通信機器の属する１３９４バス上の１３９４機器から要求に対して、通信機器においてエミュレートしたノードから応答するようにすることも可能である。
【０１０８】
第２実施形態
図１４は、本発明の第２実施形態にかかる通信機器、及び他の１３９４機器を含んだネットワークの構成を概略的に示す図である。
図１４に示すネットワークは、１３９４機器１（１４００）及び通信機器Ａ（１４０１）を１３９４規格によりバス型に接続した第１の１３９４バス（１４０５）と、１３９４機器２（１４０３）及び通信機器Ｂ（１４０２）を１３９４規格によりバス型に接続した第２の１３９４バス（１４０６）とから構成されている。
【０１０９】
また、通信機器Ａ（１４０１）と通信機器Ｂ（１４０２）とはネットワーク（１４０７）により接続されており、全体として、第１の１３９４バス（１４０５）及び第２の１３９４バス（１４０６）を含んだ１３９４機器のネットワークを構成している。尚、第１実施形態同様に、ネットワーク（１４０７）には、Ｗｉｒｅｌｅｓｓ１３９４、１３９４ｏｖｅｒ８０２．１１などの無線通信プロトコルによる無線通信システムを用いるものとするが、本発明の通信機器はこれに限定されるものではない。
尚、本実施形態において、図１４に示す各構成機器は、図１に示す第１実施形態のものと同様に構成されており、同様の動作をするものとする。
【０１１０】
本実施形態において、１３９４機器１（１４００）は、ＧＵＩＤが０ｘ１１１１１１１１であり、第１の１３９４バス（１４０５）においてノード０を割り当てており、また、１３９４機器２（１４０３）は、ＧＵＩＤが０ｘ２２２２２２２２であり、第２の１３９４バス（１４０６）においてノード１を割り当てている。
【０１１１】
また、通信機器Ａ（１４０１）は、ＧＵＩＤが０ｘＡＡＡＡＡＡＡＡであり、第２の１３９４バス（１４０６）上の１３９４機器２（１４０３）をエミュレートするためのノードとしてノード１を割り当てている。一方、通信機器Ｂ（１４０２）は、ＧＵＩＤが０ｘＢＢＢＢＢＢＢＢであり、第１の１３９４バス（１４０５）上の１３９４機器１（１４００）をエミュレートするためのノードとしてノード０を割り当てている。
【０１１２】
尚、１３９４バスではノードＩＤは可変であり、バスリセット、機器の増減などが起こるたびに、各機器に対してノードＩＤが再割り当てされる可能性があるが、ここでは上記の各１３９４機器が上記のノードＩＤに割り当てられた時点での状態を示している。ノードＩＤの再割り当てにより、ノードＩＤが上記と異なるものになったときには、それぞれのノードＩＤを置き換えて考えればよい。
【０１１３】
上記のように構成された本実施形態の通信機器の及びこれを含む１３９４機器ネットワークにおいて、１３９４機器１（１４００）が１３９４機器２（１４０３）に接続されるまでの各機器における動作について説明する。
【０１１４】
本実施形態の通信機器Ａ（１４０１）及び通信機器Ｂ（１４０２）は、それぞれが接続された１３９４バス上の機器同士の接続状態を記憶する機器記憶装置を備えている。図１５ａ及び図１５ｂは、本実施形態の通信機器Ａ（１４０１）が備える機器記憶装置（１５０１）の構成例を概略的に示す図である。尚、図示しないが、通信機器Ｂ（１４０２）が備える機器記憶装置も同様に構成されているものとする。
【０１１５】
今、１３９４機器１（１４００）は第１の１３９４バス（１４０５）には接続されているが、ネットワーク（１４０７）を経由して１３９４機器２（１４０３）には接続されていないとすると、通信機器Ａ（１４０１）の機器記憶装置（１５０１）は図１５ａに示す状態となっており、１３９４機器１（１４００）が未接続であることが記憶されている。
【０１１６】
１３９４機器１（１４００）がネットワーク（１４０７）を経由して１３９４機器２（１４０３）に接続されると、通信機器Ａ（１４０１）の機器記憶装置（１５０１）が図１５ｂに示す状態となり、１３９４機器１（１４００）と１３９４機器２（１４０３）とが接続されていることが記憶されるようになっている。再度、１３９４機器１（１４００）と１３９４機器２（１４０３）との接続を切断した時には、機器記憶装置（１５０１）は再び図１５ａに示す状態となる。
【０１１７】
図１６は、図１４に示す本実施形態のネットワークにおいて、１３９４機器１（１６００）を１３９４機器２（１６０３）に接続するときの各機器の動作を時系列的に示すシーケンス図である。
図１６において、まず、１３９４機器１（１４００）は、通信機器Ａ（１４０１）を介して接続されているネットワーク（１４０７）上の機器情報を取得するよう通信機器Ａ（１４０１）に要求する。この要求は、所定の要求コマンドを含むパケットを送信するなどして行うものとする。
【０１１８】
上記要求を受けた通信機器Ａ（１４０１）は、第２の１３９４バス（１４０６）上の機器情報を要求するコマンドを、ネットワーク（１４０７）を経由して通信機器Ｂ（１４０２）に送信する。このコマンドを受信した通信機器Ｂ（１４０２）は、通信機器Ｂ（１４０２）内の機器記憶装置又は内部機器情報記憶部にアクセスし、あるいは第２の１３９４バス（１４０６）上の各機器にアクセスして、第２の１３９４バス（１４０６）に現在接続されている機器の情報を取得し、この情報を通信機器Ａ（１４０１）に送信する。通信機器Ａ（１４０１）は、この受信した情報を１３９４機器１（１４００）に送信する。
【０１１９】
続いて、１３９４機器１（１４００）は、１３９４機器２（１４０３）との接続の要求を通信機器Ａ（１４０１）に送信する。この要求を受けた通信機器Ａ（１４０１）は、ネットワーク（１４０７）を経由して通信機器Ｂ（１４０３）に接続要求のコマンドを送信する。これを受信した通信機器Ｂ（１４０２）は、１３９４機器２（１４０３）に上記接続要求のコマンドを送信する。尚、上記接続要求のコマンドには、１３９４機器１（１４００）に関する情報も含まれているものとする。
【０１２０】
この時点で、１３９４機器１（１４００）及び１３９４機器２（１４０３）は、それぞれ互いの機器の情報を取得しているので、両機器は接続されたことになる。通信機器Ａ（１４０１）は、機器記憶装置（１５０１）において、１３９４機器１（１４００）が１３９４機器２（１４０３）に接続されたことを記憶する。また、通信機器Ｂ（１４０２）も同様に、機器記憶装置（図示せず）において、１３９４機器２（１４０３）が１３９４機器１（１４００）に接続されたことを記憶する。
【０１２１】
このようにして、１３９４機器１（１４００）は、通信機器Ａ（１４０１）を通じて、ネットワーク（１４０７）上の１３９４機器２（１４０３）を認識し、１３９４機器２（１４０３）は、通信機器Ｂ（１４０２）を通じて、ネットワーク（１４０７）上の１３９４機器１（１４００）を認識することが可能となる。
【０１２２】
以上に説明した本実施形態の通信機器及びこれを含むネットワークによれば、各通信機器が各１３９４バス上の１３９４機器について、ネットワークへの接続／非接続を管理する機能を備えることにより、本発明の第１実施形態のように機器の増減等によるバスリセットを発生させなくとも、ネットワークを通じた１３９４機器同士の接続の切り替えを行うことが可能となる。
【０１２３】
第３実施形態
図１７は、本発明の第３実施形態にかかる通信機器、及び他の１３９４機器を含んだネットワークの構成を概略的に示す図である。
【０１２４】
図１７に示すネットワークは、１３９４機器１（１７００）及び通信機器Ａ（１７０１）を１３９４規格によりバス型に接続した第１の１３９４バス（１７０５）と、１３９４機器２（１７０３）、１３９４機器３（１７０４）及び通信機器Ｂ（１７０２）を１３９４規格によりバス型に接続した第２の１３９４バス（１７０６）とから構成されている。
【０１２５】
また、通信機器Ａ（１７０１）と通信機器Ｂ（１７０２）とはネットワーク（１７０７）により接続されており、全体として、第１の１３９４バス（１７０５）及び第２の１３９４バス（１７０６）を含んだ１３９４機器のネットワークを構成している。尚、第１実施形態同様に、ネットワーク（１７０７）には、Ｗｉｒｅｌｅｓｓ１３９４、１３９４ｏｖｅｒ８０２．１１などの無線通信プロトコルによる無線通信システムを用いるものとするが、本発明の通信機器はこれに限定されるものではない。
【０１２６】
尚、本実施形態において、図１７に示す各構成機器は、図１に示す第１実施形態のものと同様に構成されており、同様の動作をするものとする。
図１７に示すように、第１の１３９４バス（１７０５）において、１３９４機器１（１７００）にはノード０を割り当てており、通信機器Ａ（１７０１）にはノード１を割り当てている。
また、第２の１３９４バス（１７０６）において、１３９４機器２（１７０３）にはノード１を、１３９４機器３（１７０４）にはノード２を、通信機器Ｂ（１７０２）にはノード０をそれぞれ割り当てている。
【０１２７】
尚、１３９４バスではノードＩＤは可変であり、バスリセット、機器の増減などが起こるたびに、各機器に対してノードＩＤが再割り当てされる可能性があるが、ここでは上記の各１３９４機器が上記のノードＩＤに割り当てられた時点での状態を示している。ノードＩＤの再割り当てにより、ノードＩＤが上記と異なるものになったときには、それぞれのノードＩＤを置き換えて考えればよい。
【０１２８】
上記のように構成された本実施形態の通信機器の及びこれを含む１３９４機器ネットワークにおいて、１３９４機器同士がネットワーク（１７０７）を経由して接続されるときの各機器における動作について説明する。
【０１２９】
本実施形態の通信機器Ａ（１７０１）及び通信機器Ｂ（１７０２）は、それぞれが接続された１３９４バス上の機器同士の接続状態を記憶する機器記憶装置を備えている。図１８ａは、通信機器Ａ（１７０１）及び通信機器Ｂ（１７０２）のそれぞれが備える機器記憶装置（１８０１）及び（１８０２）の構成例を概略的に示す図である。
【０１３０】
図１８ａに示すように、現在、１３９４機器１（１７００）は第１の１３９４バス（１７０５）には接続されているが、ネットワーク（１７０７）を経由して第１の１３９４バス（１７０５）上の１３９４機器とは接続されていない。
【０１３１】
また、１３９４機器２（１７０３）及び１３９４機器３（１７０４）は、現在、第２の１３９４バス（１７０６）には接続されているが、ネットワーク（１７０７）を経由して第１の１３９４バス（１７０５）上の１３９４機器とは接続されていない。
【０１３２】
尚、図１８ａに示す例では、機器記憶装置（１８０１）において１つの１３９４機器の接続状態に関する情報が記憶されており、機器記憶装置（１８０２）において２つの１３９４機器の接続状態に関する情報が記憶されている。図１７に示すネットワークにおいてさらに１３９４機器を接続したい場合には、その１３９４機器の接続状態に関する情報を格納できるよう、機器記憶装置（１８０１）又は（１８０２）の記憶領域を拡張すればよい。
【０１３３】
図１７に示す本実施形態のネットワークにおいて、１３９４機器１（１７００）を１３９４機器２（１７０３）に接続するときの各機器の動作について説明する。尚、このときの各１３９４機器と各通信機器との間の通信、並びに各通信機器同士の通信の形態は、本発明の第２実施形態で説明したものと同様であるものとする。
【０１３４】
まず、１３９４機器１（１７００）は、通信機器Ａ（１７０１）を介して接続されているネットワーク（１７０７）上の機器情報を取得するよう通信機器Ａ（１７０１）に要求する。
上記要求を受けた通信機器Ａ（１７０１）は、第２の１３９４バス（１７０６）上の機器情報を要求するコマンドを、ネットワーク（１７０７）を経由して通信機器Ｂ（１７０２）に送信する。このコマンドを受信した通信機器Ｂ（１７０２）は、通信機器Ｂ（１７０２）内の機器記憶装置又は内部機器情報記憶部にアクセスし、あるいは第２の１３９４バス（１７０６）上の各機器にアクセスして、第２の１３９４バス（１７０６）に現在接続されている機器の情報を取得し、この情報を通信機器Ａ（１７０１）に送信する。通信機器Ａ（１７０１）は、この受信した情報を１３９４機器１（１７００）に送信する。
【０１３５】
続いて、１３９４機器１（１７００）は、１３９４機器２（１７０３）との接続の要求を通信機器Ａ（１７０１）に送信する。この要求を受けた通信機器Ａ（１７０１）は、ネットワーク（１７０７）を経由して通信機器Ｂ（１７０３）に接続要求のコマンドを送信する。これを受信した通信機器Ｂ（１７０２）は、１３９４機器２（１７０３）に上記接続要求のコマンドを送信する。尚、上記接続要求のコマンドには、１３９４機器１（１７００）に関する情報も含まれているものとする。
【０１３６】
この時点で、１３９４機器１（１７００）及び１３９４機器２（１７０３）は、それぞれ互いの機器の情報を取得しているので、両機器は接続されたことになる。このとき、図１８ｂに示すように、通信機器Ａ（１７０１）は、機器記憶装置（１８０１）において、１３９４機器１（１７００）が１３９４機器２（１７０３）に接続されたことを記憶する。また、通信機器Ｂ（１７０２）も同様に、機器記憶装置（１８０２）において、１３９４機器２（１７０３）が１３９４機器１（１７００）に接続されたことを記憶する。
【０１３７】
このようにして、１３９４機器１（１７００）は、通信機器Ａ（１７０１）を通じて、ネットワーク（１７０７）上の１３９４機器２（１７０３）を認識し、１３９４機器２（１７０３）は、通信機器Ｂ（１７０２）を通じて、ネットワーク（１７０７）上の１３９４機器１（１７００）を認識することが可能となる。
【０１３８】
以上に説明した本実施形態の通信機器及びこれを含むネットワークによれば、各通信機器が各１３９４バス上の１３９４機器について、ネットワークへの接続／非接続を管理する機能を備えることにより、本発明の第１実施形態のように機器の増減等によるバスリセットを発生させなくとも、ネットワークを通じた１３９４機器同士の接続の切り替えを行うことが可能となる。
特に、各１３９４バス上に複数の１３９４機器がある場合において、特定の１３９４機器同士のみを接続したり切断したりすることが可能となる。
【０１３９】
尚、上記の例では、１３９４機器１（１７００）は、第２の１３９４バス（１７０６）に接続されている１３９４機器２（１７０３）及び１３９４機器３（１７０４）の情報を取得した後、１３９４機器２（１７０３）と接続を行うよう動作したが、このとき、１３９４機器３（１７０４）と接続を行いたい場合には、１３９４機器３（１７０４）との接続の要求を、上記同様にして通信機器Ａ（１７０１）に送信すればよい。
【０１４０】
この場合、１３９４機器１（１７００）及び１３９４機器３（１７０４）が互いに接続されたことになる。図１５ｃは、この場合における通信機器Ａ（１７００）及び通信機器Ｂ（１７０２）の機器記憶装置に記憶されている各機器の情報を概略的に示す図である。
【０１４１】
以上、本発明の通信機器及びこれを含む１３９４機器ネットワークについて第１〜第３実施形態を例示して説明したが、本発明は、上記した実施の形態に限定されるものではない。当業者であれば、本発明の要旨を逸脱しない範囲内において、本発明に様々な変更を加ることが可能である。
【０１４２】
【発明の効果】
以上、説明したように、１３９４機器ネットワークにおいて本発明の通信機器を設置することにより、１３９４バス上の他のプロトコルとのブリッジに対応していない既存の１３９４機器から、別のプロトコルによりネットワーク接続されている他の１３９４バス上の複数の１３９４機器に対して、同じ１３９４バス上の機器と同様に操作することが可能になる。
【図面の簡単な説明】
【図１】本発明の第１実施形態にかかる通信機器、及び他の１３９４機器を含んだネットワークの構成を概略的に示す図である。
【図２】図１に示す通信機器Ａ（１０１）及び通信機器Ｂ（１０２）それぞれの内部構成を概略的に示す図である。
【図３】図１に示す通信機器Ａ（１０１）の内部構成を詳細に示す機能ブロック図である。
【図４】図３に示した通信機器Ａ（１０１）の外部機器情報記憶部（３０８）及び内部機器情報記憶部（３０９）に含まれる管理テーブルに格納される情報の構成例を示す図である。
【図５】図１に示す通信機器Ｂ（１０２）の内部構成を詳細に示す機能ブロック図である。
【図６】図１における第１の１３９４バス（１０５）においてバスリセットが発生したときの各機器の動作を時系列的に示すシーケンス図である。
【図７】図１における第２の１３９４バス（１０６）においてバスリセットが発生したときの各機器の動作を時系列的に示すシーケンス図である。
【図８】図１における第１の１３９４バス（１０５）においてバスリセットが発生したときの各機器の動作を時系列的に示すシーケンス図である。
【図９】図１における第２の１３９４バス（１０６）においてバスリセットが発生したときの各機器の動作を時系列的に示すシーケンス図である。
【図１０】本発明の通信機器を含むネットワークにおいて、１３９４機器が送信するＡｓｙｎｃパケットの構成例を示す図である。
【図１１】図１に示すネットワークにおいて、図１０に示すＡｓｙｎｃパケットを１３９４機器１（１００）から１３９４機器２（１０３）に送信するときの各機器の動作を示すシーケンス図である。
【図１２】図１０に示すＡｓｙｎｃパケットの送信元及び送信先をノードＩＤからＧＵＩＤに変換したＡｓｙｎｃパケットの構成例を示す図である。
【図１３】図１に示すネットワークにおいて、第１の１３９４バス（１０５）上の１３９４機器１（１００）が第２の１３９４バス（１０６）上の１３９４機器２（１０３）のＣｏｎｆｉｇＲＯＭを読み取るときの各機器の動作を示すシーケンス図である。
【図１４】本発明の第２実施形態にかかる通信機器、及び他の１３９４機器を含んだネットワークの構成を概略的に示す図である。
【図１５ａ】本発明の第２実施形態にかかる通信機器が備える機器記憶装置（１５０１）の構成例を概略的に示す図である。
【図１５ｂ】本発明の第２実施形態にかかる通信機器が備える機器記憶装置（１５０１）の構成例を概略的に示す図である。
【図１６】図１４に示すネットワークにおいて、１３９４機器１（１６００）を１３９４機器２（１６０３）に接続するときの各機器の動作を時系列的に示すシーケンス図である。
【図１７】本発明の第３実施形態にかかる通信機器、及び他の１３９４機器を含んだネットワークの構成を概略的に示す図である。
【図１８ａ】通信機器Ａ（１７０１）及び通信機器Ｂ（１７０２）のそれぞれが備える機器記憶装置（１８０１）及び（１８０２）の構成例を概略的に示す図である。
【図１８ｂ】通信機器Ａ（１７０１）及び通信機器Ｂ（１７０２）のそれぞれが備える機器記憶装置（１８０１）及び（１８０２）の構成例を概略的に示す図である。
【図１８ｃ】通信機器Ａ（１７０１）及び通信機器Ｂ（１７０２）のそれぞれが備える機器記憶装置（１８０１）及び（１８０２）の構成例を概略的に示す図である。
【符号の説明】
１００，１４００，１７００  １３９４機器１
１０１，１４０１，１７０１  通信機器Ａ
１０２，１４０２，１７０２  通信機器Ｂ
１０３，１４０３，１７０３  １３９４機器２
１０４，１７０４  １３９４機器３
１０５，１４０５，１７０５  第１の１３９４バス
１０６，１４０６，１７０６  第２の１３９４バス
１０７，１４０７，１７０７  ネットワーク
３０１，５０１  無線Ｉ／Ｆ
３０２，５０２  無線Ｉ／Ｆ処理部
３０３，５０３  機器情報送受信部
３０４，５０４  プロトコル変換部
３０５，５０５  １３９４Ｉ／Ｆ処理部
３０６，３０７，５０６  １３９４ＰＨＹ
３０８，５０８  外部機器情報記憶部
３０９，５０９  内部機器情報記憶部
１５０１  機器記憶装置
１８０１  機器記憶装置Ａ
１８０２  機器記憶装置Ｂ
【図１】
2004274608.tif 000003
【図２】
2004274608.tif 000004
【図３】
2004274608.tif 000005
【図４】
2004274608.tif 000006
【図５】
2004274608.tif 000007
【図６】
2004274608.tif 000008
【図７】
2004274608.tif 000009
【図８】
2004274608.tif 000010
【図９】
2004274608.tif 000011
【図１０】
2004274608.tif 000012
【図１１】
2004274608.tif 000013
【図１２】
2004274608.tif 000014
【図１３】
2004274608.tif 000015
【図１４】
2004274608.tif 000016
【図１５ａ】
2004274608.tif 000017
【図１５ｂ】
2004274608.tif 000018
【図１６】
2004274608.tif 000019
【図１７】
2004274608.tif 000020
【図１８ａ】
2004274608.tif 000021
【図１８ｂ】
2004274608.tif 000022
【図１８ｃ】
2004274608.tif 000023